(57)【要約】  磁気共鳴システム８は、少なくとも第１及び第２の所定の共鳴周波数で共鳴し得る無線周波数コイル３６を有する。同調共振回路１１０,１３２は、無線周波数コイル３６に直列に結合される。同調共振回路１１０,１３２は、同調コンポーネントＣP,ＬP；ＣP，Ｃh，Ｌhを含む。同調回路１１０,１３２の同調コンポーネントＣP,ＬP；ＣP,Ｃh,Ｌhの値は、第１周波数における無線周波数コイル共振の感度プロファイルが、第２周波数における無線周波数コイル共振の感度プロファイルと実質的にマッチングするように選択される。
2009532181.tif 000002
【特許請求の範囲】
【請求項１】
少なくとも第１及び第２の所定の共振周波数で共振することができる、無線周波数コイルと、
前記無線周波数コイルに直列に結合される同調共振回路と、
を有する磁気共鳴システムであって、前記同調共振回路が、同調コンポーネントを含み、前記同調回路の前記同調コンポーネントの値は、前記第１周波数において共振する無線周波数コイルの感度プロファイルが、前記第２周波数において共振する前記無線周波数コイルの感度プロファイルと実質的にマッチングするように選択される、磁気共鳴システム。
【請求項２】
前記無線周波数コイルが、ソレノイドコイルを含む、請求項１に記載のシステム。
【請求項３】
前記無線周波数ソレノイドコイルは、検査領域を囲むループをもつ導体を含む、請求項２に記載のシステム。
【請求項４】
直交して励起及び受信するため、前記検査領域を囲むとともに、前記導体の前記ループに対して実質的に垂直であるループを備える補助導体を更に有する、請求項３に記載のシステム。
【請求項５】
前記導体が、隣接したループの間のギャップを規定する、螺旋状に構成されたループを含む、請求項３に記載のシステム。
【請求項６】
前記導体が、第１キャパシタンスを含み、前記ソレノイドコイルが第１インダクタンスを有し、前記同調回路は、
第２キャパシタンスと、
該第２キャパシタンスに並列に接続される第３キャパシタンスと、
該第３キャパシタンスと直列に接続される補助インダクタンスと、
を含み、前記第１、第２及び第３キャパシタンス、並びに補助インダクタンスは、前記無線周波数コイルが、第１磁気共鳴周波数に対応する前記第１の所定の周波数と、第２磁気共鳴周波数に対応する前記第２の所定の周波数とにおいて共振するように協働する、請求項５に記載のシステム。
【請求項７】
前記第１キャパシタンス及び前記第１インダクタンスは、前記同調回路と直列に接続される直列回路を規定し、前記同調回路において、前記補助インダクタンス及び前記第３キャパシタンスは、１つの脚を規定するため、互いに直列に接続され、該脚は、前記第２キャパシタンスと並列に接続される、請求項６に記載のシステム。
【請求項８】
前記第１キャパシタンスの前記値が、前記第１共鳴周波数よりも低い周波数においてキャパシタンスとして振る舞い、前記第１共鳴周波数よりも高い周波数においてインダクタンスとして振る舞うように、前記直列回路を同調させるように選択され、前記第２キャパシタンスの前記値及び補助インダクタンスは、前記第２共鳴周波数よりも低い周波数においてインダクタンスとして振る舞い、前記第２共鳴周波数よりも高い周波数においてキャパシタンスとして振る舞うように、前記同調回路を同調させるように選択される、請求項６に記載のシステム。
【請求項９】
前記第２及び第３キャパシタンス及び前記補助インダクタンスの前記値は、前記第１及び第２共鳴周波数で共振させるため、前記同調回路で前記無線周波数コイルを同調するように選択される、請求項６に記載のシステム。
【請求項１０】
前記検査領域を通じてメイン磁場を生成する磁石を更に含み、前記メイン磁場において、前記第１共鳴周波数は、フッ素の共鳴周波数であり、前記第２共鳴周波数は、水素の共鳴周波数である、請求項６に記載のシステム。
【請求項１１】
前記コイルが、前記同調回路に直列に接続される直列回路を規定する、第１キャパシタンス及び第１インダクタンスを含む、請求項１に記載のシステム。
【請求項１２】
前記同調回路は、第２キャパシタンスと、該第２キャパシタンスに並列に接続される第２インダクタンスとを含む、請求項１１に記載のシステム。
【請求項１３】
少なくとも第１及び第２の所定の共振周波数において共振し得る無線周波数コイルに対する同調コンポーネントを含む同調回路を直列に結合するステップと、
前記無線周波数コイルが前記第１及び第２共振周波数において共振し、前記第１周波数の感度プロファイルが前記第２周波数の感度プロファイルと実質的にマッチングするように、前記同調回路の前記同調コンポーネントの値を決定するステップと、
を含む、磁気共鳴イメージングをする方法。
【請求項１４】
導体が、固有インダクタンスをもつソレノイドで巻かれ、第１キャパシタンスは、前記固有インダクタンスに直列に接続され、
前記直列に接続された固有インダクタンスと第１キャパシタンスとが、前記第１共鳴周波数より高い周波数においてインダクタンスのように振る舞い、前記第１共鳴周波数より低い周波数においてキャパシタンスのように振る舞うように、前記第１キャパシタンスの値を選択するステップ
を含む、請求項１３に記載の方法。
【請求項１５】
前記同調回路は、少なくともインダクタンス素子と並列に接続される第２キャパシタンスを有し、
前記同調回路が前記第２共振周波数よりも高い周波数においてキャパシタンスのように振る舞い、前記第２共振周波数よりも低い周波数においてインダクタンスのように振る舞うように、前記第２キャパシタンス及び前記インダクタンス素子の値を選択するステップ
を含む、請求項１４に記載の方法。
【請求項１６】
前記同調回路は、
第２キャパシタンスと
該第２キャパシタンスに並列に接続される第３キャパシタンスと、
該第３キャパシタンスに直列に接続される補助インダクタンスと
を含み、
前記無線周波数コイルが、前記第１及び第２の所定の周波数において共振するように、前記第２及び第３キャパシタンス並びに前記補助インダクタンスの値を選択するステップ
を含む、請求項１４に記載の方法。
【請求項１７】
前記第１の所定の周波数が、フッ素の共鳴周波数であり、前記第２の所定の周波数が、水素の共鳴周波数であるように、前記第１、第２、及び第３キャパシタンス、並びに補助インダクタンスに対する前記値を選択するステップ
を更に有する、請求項１６に記載の方法。
【請求項１８】
検査領域を通じてメイン磁場を生成するメインフィールド磁石と、
第１及び第２の所定の共振周波数において、前記検査領域に無線周波数信号を送信するステップ、及び／又は前記検査領域から無線周波数信号を受信するステップの少なくとも１つをする無線周波数コイルと
請求項１３に記載の方法により同調される同調コンポーネントを有する同調回路と
を含む、磁気共鳴スキャナ。
【請求項１９】
導体の分割の間に等間隔に接続される固有インダクタンス及び第１キャパシタンスを有し、シリンダの周りに螺旋状に巻かれる導体を含む無線周波数ソレノイドコイルと、
第２キャパシタ、該第２キャパシタに並列に接続される第３キャパシタ、及び前記第３キャパシタと直列に接続される補助インダクタンスを含む前記導体に直列に結合される共振回路と、
を有する磁気共鳴コイルシステムであって、
前記無線周波数ソレノイドコイルが、前記２つの周波数に対して実質的にマッチングした感度プロファイルをもつ第１及び第２の所定の共振周波数において共振するように、前記第１、第２及び第３キャパシタンス、並びに補助インダクタンスが協働する、磁気共鳴コイルシステム。
【請求項２０】
請求項１９に記載のコイルシステムで19Ｆ−1Ｈ磁気共鳴イメージングをする磁気共鳴イメージング方法であって、
前記第１の所定の共鳴周波数が、磁場中の19Ｆの共鳴周波数であり、前記第２の所定の共鳴周波数が、前記磁場中の1Ｈの共鳴周波数であるように、前記第１、第２、及び第３キャパシタ、及び補助インダクタを同調させるステップと、
前記ソレノイドコイル内の検査領域を通じて前記磁場を生成するステップと、
前記検査領域を横切って、傾斜磁場を印加するステップと、
前記検査領域における被検体内の19Ｆ及び1Ｈの共鳴を励起するため、19Ｆ及び1Ｈの前記共鳴周波数の各々を網羅する周波数スペクトルにおいて、前記ソレノイドコイルにパルスを加えるステップと、
19Ｆ及び1Ｈの前記共鳴周波数において、前記ソレノイドコイルで共鳴信号を受信するステップと、
前記19Ｆ共鳴信号を19Ｆ画像に再構成し、前記1Ｈ共鳴信号を1Ｈ画像に再構成し、該19Ｆ及び1Ｈ画像が、本質的に登録されるステップと
を有する方法。
【発明の詳細な説明】
【技術分野】
【０００１】
本願は、磁気共鳴技術に関する。これは、19Ｆ−1Ｈ分子イメージングを観測する磁気共鳴イメージングにおいて特定の用途を見出し、特にこれを参照して記載されるであろう。しかしながら、より一般的に、様々なダイポール対、例えば炭素、リン等での多核磁気共鳴イメージング、磁気共鳴スペクトルスコピ等における用途も見出す。
【背景技術】
【０００２】
磁気共鳴イメージングスキャナは、通常検査領域を通して空間的時間的一定磁場Ｂ0を生成する、通常超伝導のメイン磁石を含む。無線周波数（ＲＦ）コイル、例えば全身ボディコイル、ヘッドコイル等、及びトランスミッタが、Ｂ0場において画像化されるダイポールの共鳴周波数に同調されている。コイル及びトランスミッタは、しばしばこれらのダイポールを励起させ、操作するように使用されている。空間的な情報は、Ｂ0場に加えて様々な方向で検査領域を横切る傾斜磁場を生成するため、電流で傾斜コイルを駆動することによりエンコードされている。磁気共鳴信号は、同じ又は別の受信専用ＲＦコイルにより取得され、ＲＦ受信機により復調され、フィルタリングされ、サンプリングされ、最終的にいくつかの専用又は汎用ハードウェア上で画像に再構成されている。
【０００３】
二重共鳴19Ｆ及び1Ｈ磁気共鳴イメージング又はスペクトロスコピは、様々な種類の代謝情報を提供する。例えば19Ｆ磁気共鳴イメージングは、分子イメージングの分野のフッ素のラベリングをされたトレーサ及びドラッグの検出及び直接量子化に対して高い可能性を有する。1Ｈ磁気共鳴イメージングとの組み合わせは、19Ｆイメージングの前に局在化のために関連付けられる解剖構造情報を提供する。
【０００４】
１つのアプローチでは、19Ｆ-1Ｈ磁気共鳴イメージングは、各周波数に対する別個のチャネルを有する二重同調バードケージコイルを使用して実施され、一方の受信機は水素を画像化するように同調され（1Ｈイメージング）、他方の受信機はフッ素を画像化するように同調される（19Ｆイメージング）。しかしながら、どちらのチャネルの感度も、対応する単一の共振回路で達成され得る感度よりもかなり低い。更に、感度が周波数の一つにおいて最適化され得る一方、残りの周波数の感度は、最適化された周波数における回路感度よりかなり低い。
【０００５】
他のアプローチでは、２つの別個のコイルが使用される。一方のコイルは19Ｆ周波数に同調され、他方のコイルは1Ｈ周波数に同調される。このアプローチにおいても、２つの同調されるコイルは、２つの画像化されるダイポールの各々に対して異なる感度プロファイルを有する。２つのコイルに対して同様の最適化された感度プロファイルを達成することは、実用的ではない。
【発明の開示】
【発明が解決しようとする課題】
【０００６】
本願は、上で言及された問題及び他のものを克服する改善された装置及び方法を提供する。
【課題を解決するための手段】
【０００７】
一態様によると、磁気共鳴システムが開示される。無線周波数コイルは、少なくとも第１及び第２の所定の共鳴周波数において共鳴することができる。同調共振回路は、無線周波数コイルに直列に結合され、前記同調共振回路が同調コンポーネントを含む。同調回路の同調コンポーネントの値は、第１周波数において共振する無線周波数コイルの感度プロファイルが、第２周波数において共振する無線周波数コイルの感度プロファイルに実質的にマッチングするように選択される。
【０００８】
他の態様によると、磁気共鳴イメージングの方法が開示される。同調コンポーネントを含む同調回路は、少なくとも第１及び第２の所定の共振周波数で共振することができる無線周波数コイルに直列に結合される。同調回路の同調コンポーネントの値は、第１及び第２の共振周波数において無線周波数コイルが共振し、第１周波数の感度プロファイルが、第２周波数の感度プロファイルと実質的にマッチングするように決定される。
【０００９】
他の態様によると、磁気共鳴コイルシステムが開示される。無線周波数ソレノイドコイルは、シリンダの周りに螺旋状に巻かれる導体を含む。ソレノイドコイルは、導体の分割の間に等距離に接続される固有インダクタンス及び第１キャパシタをもつ。共振回路は、導体に直列に結合され、第２キャパシタ、該第２キャパシタに並列に接続される第３キャパシタ、及び該第３キャパシタと直列に接続される補助インダクタンスを含む。第１、第２、及び第３キャパシタ及び補助インダクタンスは、無線周波数ソレノイドコイルが、第１及び第２所定共振周波数で２つの周波数の感度プロファイルを実質的にマッチングさせて共振するように協働する。
【００１０】
１つの利点は、各周波数に対して調整された感度プロファイルを有するマルチ同調コイルにある。
【００１１】
記載されたものの更なる利点は、以下の詳細な説明を読み、理解する当業者らに認識されるであろう。
【００１２】
本記載は、様々なコンポーネント、コンポーネントの構成、及び様々なステップ、ステップの構成の形態をとり得る。図面は、好ましい実施例を説明する目的のみのためであり、記載されたものを制限するものとして解釈されるべきではない。
【発明を実施するための最良の形態】
【００１３】
図１を参照すると、磁気共鳴イメージングシステム８は、検査領域１４を規定するハウジング１２を含むスキャナ１０を有し、ここで患者又は他のイメージング被検体１６は、患者若しくは被検体支持部又はベッド１８の上に配置される。ハウジング１２内に配置されるメイン磁石２０は、検査領域１４におけるメイン磁場Ｂ0を生成する。通常メイン磁石２０は、クライオシュラウド２４により囲まれる超伝導マグネットであるが、抵抗性又は永久メイン磁石も使用され得る。傾斜磁場コイル２８は、検査領域１４内のメイン磁場に、選択された傾斜磁場を重ねるため、ハウジング１２内又はハウジング１２上に配置される。全身ラジオ周波数コイル３０、例えばストリップラインコイル、ＳＥＮＳＥコイル素子、バードケージコイル等は、無線周波数励起パルスを検査領域１４に注入し、生成される磁気共鳴信号を検出するため、ハウジング１２内に配置される。二重共振無線周波数（ＲＦ）コイルシステム又は構成３２がメイン磁場Ｂ0に垂直な磁場Ｂ1を生成するため、検査領域１４に隣接して配置される。コイルシステム３２は、ソレノイドコイル、サドルコイル、ソレノイド及びバードケージコイルの組み合わせ、ソレノイド及びサドルコイルの組み合わせ、ソレノイドコイルの組み合わせ等であり得る。例示的な実施例において、コイルシステム３２は、誘電体シリンダ４０の周りを螺旋状に巻かれた導体３８を含む無線周波数コイル３６を含む。もちろんコイルシステム３２は、異なる形状、例えば楕円形を有し得る。以下で詳細に議論されるように、装置、プロセッサ、アルゴリズム、マニュアル計算、又は他の手段４２を決定する同調回路コンポーネントは、コイルシステム３２が２つの共振周波数で共振し、２つの周波数に対する感度プロファイルのかなりのマッチングを示すように、同調回路の素子又はコンポーネントの適切な値を決定する。シールド４４は、傾斜コイル及び他の周囲の構造からコイル３０、３６を遮蔽する。
【００１４】
図１を引き続き参照すると、磁気共鳴画像化（ＭＲＩ）コントローラ５０は、検査領域１４のメイン磁場に選択された傾斜磁場を重ねるため、傾斜コイル２８に結合される磁場傾斜コントローラ５２を作動させ、画像化するため、磁気共鳴周波数Hｆres及びHｆresの選択されたもの又は両方についての選択された無線周波数励起パルスHＢ1,FＢ1を検査領域１４に注入するため、無線周波数コイル３６に結合される無線周波数送信システム５４も作動させる。無線周波数送信システム５４が、全身無線周波数コイル３０に結合されることも考慮される。無線周波数励起パルスは、選択された傾斜磁場により空間的にエンコードされる、イメージング被検体１６における磁気共鳴信号を励起する。イメージングコントローラ５０は、各共鳴周波数において、受信された空間的にエンコードされた磁気共鳴信号を復調するため、コイル３０，３６と誘導結合される、無線周波数受信システム５６も制御する。もちろん無線周波数受信システム５６は、容量性結合等のような他の手段により、コイル３６と結合され得ることが考慮される。受信された空間的エンコード磁気共鳴データは、磁気共鳴又はＭＲデータメモリ６０に記憶される。
【００１５】
再構成プロセッサ、アルゴリズム、装置、又は他の手段６２は、記憶された磁気共鳴データを、イメージング被検体１６の再構成された画像又は検査領域１４内にあるその選択された部分に再構成する。再構成プロセッサ６２は、フーリエ変換再構成技術、又はデータ取得に使用される空間的エンコーディングに適合する他の適切な再構成技術を使用する。再構成された画像は、画像メモリ６４に記憶され、ユーザインタフェース６６に表示され、ローカルエリアネットワーク若しくはインターネット上を送信され、プリンタにより印刷され、患者データベースに記憶されるか、又は使用され得る。図示された実施例において、ユーザインタフェース６６は、放射線技師又は他のユーザが、イメージングシーケンスを選択、修正、又は実行するため、イメージングコントローラ５０とインタフェースすることも可能にする。他の実施例において、別個のユーザインタフェースが、スキャナ１０を動作させ、再構成画像を表示するか、又は操作するように設けられる。
【００１６】
記載された磁気共鳴イメージングシステム１０は、説明的な例である。概して、実質的にどの磁気共鳴イメージングスキャナも、開示された無線周波数コイルを組み込み得る。例えばスキャナは、開口磁石スキャナ、垂直ボアスキャナ、低磁場スキャナ、高磁場スキャナ等であり得る。図１の実施例において、コイル３６は、磁気共鳴シーケンスの送信フェーズ及び受信フェーズの両方に使用されるが、他の実施例において、別個の送信コイル及び受信コイルが設けられ得、全身又は局部で、これらの一方又は両方は、ここに開示される１又はそれより多くの無線周波数コイル設計及び設計アプローチを組み込み得る。
【００１７】
図１を引き続き参照し、図２を更に参照すると、導体３８は、各々２つのループされた導体３８の間で、規定されたギャップｄ１で、誘電体シリンダ４０の周りをソレノイドパターンで巻かれるか、又はループされる。小さなイメージング被検体に対して、シリンダ４０の内径ｄ２は、約７０ｍｍに等しく、２つの導体３８の間のギャップｄ１は、約８ｍｍに等しい。第１のソレノイドコイル３６の固有又は直列インダクタンスＬSが測定され、１２４ＭＨｚにおいて約１０２４ｎＨである。更なる計算のため、この値は、２０ＭＨｚのバンド幅に渡って一定と仮定される。
【００１８】
等距離の容量性分割は、伝達の影響による電流の不均一性を避けるため、ソレノイドコイルループ間に直列で、集中した第１の又は直列のキャパシタンス又はキャパシタＣSを供給するように、導体３８に沿って配置される。例えば集中したキャパシタンスＣSは導体３８に沿って等間隔に配置される１５のキャパシタを含む。
【００１９】
引き続き図２を参照し、更に図３を参照すると、コイル３６の回路は、第１又は直列共振回路１００により表わされ、これは、コイル導体３８の固有インダクタンスを表わす第１又は直列インダクタンスＬSと、第１インダクタンスＬSと直列に結合されるとともに、上述の集中したキャパシタンスを表わす直列キャパシタンスＣSとを含む。コイル導体３８固有の抵抗が０Ωに近付くと、コイル導体３８の固有抵抗は無視される。第１共振回路１００の開放された回路の第１又は直列回路インピーダンスＺSは、
【数１】
2009532181.tif 000003
であり、ここでパラメータωは、周波数ｆの依存性を示す。
【数２】
2009532181.tif 000004
虚数ｊが適用される。
【数３】
2009532181.tif 000005
【００２０】
直列回路共振周波数ωSは、第１インダクタンス及びキャパシタンスＬS,ＣSにより決定され、
【数４】
2009532181.tif 000006
直列回路インピーダンスＺSに対する式（１）は、次のように書き直され得る。
【数５】
2009532181.tif 000007
【００２１】
見てわかるように、第１インピーダンスＺSは、直列回路共振周波数ωSよりも低い周波数に対して、例えば虚数部分が負であるものに対して、キャパシタのように振る舞い、直列回路共振周波数ωSよりも高い周波数に対して、例えば虚数部分が正であるものに対して、インダクタンスのように振る舞う。
【００２２】
引き続き図２を参照し、更に図４を参照すると、第２共振回路１１０は、第１共振回路１００に直列に接続される。第２共振回路１１０は、第２又は並列インダクタンスＬPと、第２インダクタンスＬPに並列に接続される第２又は並列キャパシタ又はキャパシタンスＣPとを含む。第２共振回路１１０に対する開放された回路の第２又は並列回路インピーダンスＺPは
【数６】
2009532181.tif 000008
であり、ここで並列回路共振周波数ωPは、第２インダクタンス及びキャパシタンスＬP,ＣPにより決定される。
【数７】
2009532181.tif 000009
【００２３】
見てわかるように、第２インピーダンスＺPは、並列回路共振周波数ωPよりも低い周波数に対して、例えば虚数部分が負であるものに対して、インダクタンスのように振る舞い、並列回路共振周波数ωPよりも高い周波数に対して、例えば虚数部分が正であるものに対して、キャパシタのように振る舞う。
【００２４】
第１及び第２回路１００,１１０が第３回路１２０に組み合わされる場合、第３回路１２０は、第１及び第２共振周波数ω1及びω2（ω1＜ω2）で共振し、これは被検体１６に存在する同位体を磁気的に共鳴するために必要であり、以下の依存性から計算され得る。
【数８】
2009532181.tif 000010
ここでＺSは、第１又は直列回路のインピーダンスであり、ＺPは、第２又は並列回路のインピーダンスである。
【００２５】
第１及び第２インダクタンスＬS,ＬPの間の関係は、以下の通りである。
【数９】
2009532181.tif 000011
【００２６】
式９において、コイル導体３８の固有又は第１インダクタンスＬSと、第１及び第２共振周波数ω1,ω2は、所定のパラメータであり、例えば固有インダクタンスＬSは事前に測定され得、第１及び第２共振周波数ω1,ω2は、磁場Ｂ0における19Ｆ−1Ｈ又は他のダイポール対に対する既知の共振周波数として与えられる。第２インダクタンスＬPは、正の値でなければならないので、並列回路共振周波数ωPは第１共振周波数ω1よりも大きく、第２共振周波数ω2よりも小さくなければならない。この範囲における各値は、第２インダクタンスＬP,第２キャパシタＣP,及び第１キャパシタＣSに対する妥当な値のセットとなる。
【００２７】
第１及び第２共振周波数ω1,ω2が、実質的に互いに近い値をもつ場合、例えば３Ｔイメージングで19Ｆ：120.24ＭＨｚ且つ1Ｈ：127.74ＭＨｚである場合、第２インダクタンスＬPは、第１又は固有インダクタンスＬSよりもかなり小さくなる。第２インダクタンスＬPの値は、実用的な範囲で決定されなければならない。例えば上で議論されるように、約１０２４ｎＨと測定される例示的なコイル導体３８の固有インダクタンスＬSに対して、第２インダクタンスＬPの最大値は、
【数１０】
2009532181.tif 000012
であり、これは実際的な問題として達成するのが困難である。
【００２８】
図５を参照すると、第４又は二重共振回路１３０は、第３又は補助インダクタンスＬhと直列に接続される補助又は第３キャパシタＣhを備える同調回路１３２を含む。一実施例において、第３インダクタンスＬhは、第２又は並列回路インダクタンスと同じであり、ＬPに等しい。第４回路１３０は、以下の等式が満たされる場合に共振する。
【数１１】
2009532181.tif 000013
【数１２】
2009532181.tif 000014
ここで第４回路１３０の共振周波数ωhは,
【数１３】
2009532181.tif 000015
である。
【００２９】
高いインピーダンスを与えるブロッキング周波数ωblockは、
【数１４】
2009532181.tif 000016
である。
【００３０】
ブロッキング周波数ωblockは、
【数１５】
2009532181.tif 000017
として選択され得る。
【００３１】
直列回路共振周波数ωSと第４回路１３０の共振周波数ωhとの間の依存性は、以下のように表わされ得る。
【数１６】
2009532181.tif 000018
【００３２】
図６を参照すると、グラフ１４０から、
【数１７】
2009532181.tif 000019
である周波数ｆhの各値に対して、補助インダクタンスＬh、補助キャパシタンスＣh、並列回路キャパシタンスＣP、及び直列回路キャパシタンスＣSに対する適切な値の妥当なセットは、コイル３６が19Ｆ（１２０．２３ＭＨｚ）及び1Ｈ（１２７．７３ＭＨｚ）の例示的な３Ｔラーモア周波数で共鳴するように同調されるように見出され得る。例えば各列の値の各スタックは、19Ｆ−1Ｈイメージングに対する二重共鳴を達成するため、同調回路コンポーネントに対する適切な値のセットを付与する。例えば約１１２．５ＭＨｚである周波数ｆhの値に対して、補助インダクタンスＬhは約８９．８５ｎＨであり、並列回路キャパシタンスＣPは、約８９．８５ｐＦであり、補助キャパシタンスＣhは、約２３．０７ｐＦであり、直列回路キャパシタンスＣSは、約１．６３ｐＦであり得る。
【００３３】
上述のように、２つの周波数に対して実質的に同様の感度プロファイルを有する二重共鳴コイルが作られる。
【００３４】
オプションとして、コイル導体３８'の第２セットは、直交して励起及び受信するため、第１コイル導体３８に対して実質的に垂直なシリンダに巻かれ得る。検査領域１４の周りに延在する代わりに、ソレノイドコイルは、検査領域の上下及び／又は両側にループを含み得る。コイルは、他のコイル、例えばサドルコイルとともに使用され得る。更に、コイルはバードケージコイルに加えたもの、又はバードケージコイルの代わりであり得る。
【００３５】
一実施例において、コイルシステム３２は、ＰＩＮダイオードのような同調装置により電子的に離調され得、19Ｆ−1Ｈコイル３６を取り除くことなく、全身コイル３０で送信／受信することを可能にする。
【００３６】
本願は、好ましい実施例を参照して記載されている。修正及び変形は、詳細な説明を読み、理解した他人に思いつき得る。本願は、請求項又はそれと等価のものの範囲内にある限り、このような修正及び変形をすべて含むとして解釈されることを意図される。
【図面の簡単な説明】
【００３７】
【図１】図１は、磁気共鳴イメージングシステムの図式的な説明である。
【図２】図２は、ソレノイドコイルシステムの図式的な説明である。
【図３】図３は、ソレノイドコイルシステムの電気的な概略である。
【図４】図４は、更なる並列回路を有するソレノイドコイルシステムの電気的な概略である。
【図５】図５は、更なる同調キャパシタを有する、図４のコイルシステムの電気的な概略である。
【図６】図６は、19Ｆ−1Ｈイメージング用の二重共鳴を達成する同調回路コンポーネントのための、一連のあり得る値を示す。
【図１】
2009532181.tif 000020
【図２】
2009532181.tif 000021
【図３】
2009532181.tif 000022
【図４】
2009532181.tif 000023
【図５】
2009532181.tif 000024
【図６】
2009532181.tif 000025
【国際調査報告】
2009532181.tif 000026
2009532181.tif 000027
2009532181.tif 000028
2009532181.tif 000029